(57)【特許請求の範囲】
【請求項１】
ピニオンシャフト、該ピニオンシャフトの外周に回転可能に嵌め付けられているピニオンギヤ、および該ピニオンギヤと噛み合う一対のサイドギヤを含んで構成される差動機構と、２つのケース部材から構成され該差動機構を収容するデフケースとを、含んで構成されるデファレンシャル装置であって、
前記２つのケース部材は、第１ケース部材および第２ケース部材から構成され、
前記デフケースには、前記ピニオンシャフトが嵌め入れられる貫通穴が形成されるとともに、前記ピニオンシャフトを径方向に貫通するピンの両端を収容する一対のピン穴が形成されており、
前記ピンの一端を収容する側の前記ピン穴は、前記第１ケース部材に形成され、
前記ピンの他端を収容する側の前記ピン穴は、前記第２ケース部材に形成され、
前記ピンの一端を収容する側の前記ピン穴は、ケース外部まで連通し、且つ、長手方向で前記貫通穴と連通する側の穴の径が、前記ピンの直径よりも大きい一方、長手方向でケース外部と連通する側の穴の径が、前記ピンの直径よりも小さく形成され、
前記ピンの他端を収容する側の前記ピン穴は、ケース外部を貫通することなく前記第２ケース部材によって塞がれている有底の穴である
ことを特徴とするデファレンシャル装置。
【発明の詳細な説明】
【技術分野】
【０００１】
本発明は、デファレンシャル装置に係り、特にデファレンシャル装置のデフケースの構造に関するものである。
【背景技術】
【０００２】
ピニオンシャフト、そのピニオンシャフトの外周に回転可能に嵌め付けられているピニオンギヤ、およびそのピニオンギヤと噛み合う一対のサイドギヤを含んで構成される差動機構と、その差動機構を収容するデフケースとを、含んで構成されるデファレンシャル装置がよく知られている。また、デフケースが２つのケース部材から構成されるものが提案されている。特許文献１のデファレンシャル装置がそれである。特許文献１のデファレンシャル装置にあっては、ケース部材が分割された状態でピニオンシャフトを固定するためのピンをピン穴に挿入し、挿入後にケース部材を結合するように構成されている。これより、デファレンシャル装置の組付後において、ピンがピン穴内部に埋め込まれた形となる。
【先行技術文献】
【特許文献】
【０００３】
【特許文献１】特開２０１２−９２９８２号公報
【特許文献２】特開２００８−１２８４４０号公報
【発明の概要】
【発明が解決しようとする課題】
【０００４】
ところで、特許文献１のデファレンシャル装置にあっては、ピン穴がケース外部を貫通していないため、ピンがピン穴から脱落することはないが、組付後においてケース外部からピンの有無を確認できない。また、デファレンシャル装置を点検や修理のために分解する際、ケース部材を分割することでピンを取り出すことができるが、設計要件上の制約からピンをピン穴から直ちに引き抜くことは困難であり、マグネットピックなどを使ってピンを引き摺り出す必要があった。
【０００５】
本発明は、以上の事情を背景として為されたものであり、その目的とするところは、組付後においてもピンの有無を確認でき、且つ、分解後でもピンを容易に取り出すことができるデファレンシャル装置を提供することにある。
【課題を解決するための手段】
【０００６】
第１発明の要旨とするところは、(a)ピニオンシャフト、そのピニオンシャフトの外周に回転可能に嵌め付けられているピニオンギヤ、およびそのピニオンギヤと噛み合う一対のサイドギヤを含んで構成される差動機構と、２つのケース部材から構成されその差動機構を収容するデフケースとを、含んで構成されるデファレンシャル装置であって、(b)前記２つのケース部材は、第１ケース部材および第２ケース部材から構成され、(c)前記デフケースには、前記ピニオンシャフトが嵌め入れられる貫通穴が形成されるとともに、前記ピニオンシャフトを径方向に貫通するピンの両端を収容する一対のピン穴が形成されており、(d)前記ピンの一端を収容する側の前記ピン穴は、前記第１ケース部材に形成され、(e)前記ピンの他端を収容する側の前記ピン穴は、前記第２ケース部材に形成され、(f)前記ピンの一端を収容する側の前記ピン穴は、ケース外部まで連通し、且つ、長手方向で前記貫通穴と連通する側の穴の径が、前記ピンの直径よりも大きい一方、長手方向でケース外部と連通する側の穴の径が、前記ピンの直径よりも小さく形成され、(g)前記ピンの他端を収容する側の前記ピン穴は、ケース外部を貫通することなく前記第２ケース部材によって塞がれている有底の穴であることを特徴とする。
【発明の効果】
【０００７】
第１発明のデファレンシャル装置によれば、ピンの一端を収容するピン穴は、ケース部材の外部まで連通することから、組付後においても外部からピンの有無を目視で確認できる。また、分解の際には、貫通したピン穴側からピンを押し出すことでピンを容易に取り出すことができる。また、ピンの一端を収容する側のピン穴は、ケース外部と連通する側の穴の径が、ピンの直径よりも小さいことから、ピンがケース外部側に脱落することも防止される。
【図面の簡単な説明】
【０００８】
【図１】本発明が好適に適用されたデファレンシャル装置の断面図である。
【図２】図１の第１ケース部材および第２ケース部材について太実線で示す部位を拡大した拡大断面図である。
【図３】本発明の他の実施例であるデファレンシャル装置の断面図である。
【図４】図３の第１ケース部材および第２ケース部材について太実線で示す部位を拡大した拡大断面図である。
【発明を実施するための形態】
【０００９】
以下、本発明の実施例を図面を参照しつつ詳細に説明する。なお、以下の実施例において図は適宜簡略化或いは変形されており、各部の寸法比および形状等は必ずしも正確に描かれていない。
【実施例１】
【００１０】
図１は、本発明が好適に適用されたデファレンシャル装置１０の断面図である。デファレンシャル装置１０は、傘歯歯車を使用した所謂バベルギヤ式のデファレンシャル装置である。デファレンシャル装置１０は、非回転部材であるハウジング１２に一対の軸受１１ａ、１１ｂを介して軸線Ｃ１まわりに回転可能に保持されている。なお軸線Ｃ１は、後述するサイドギヤ２０、およびサイドギヤ２０にスプライン嵌合する図示しないドライブシャフトの回転軸線である。
【００１１】
デファレンシャル装置１０は、ハウジング１２に一対の軸受１１ａ、１１ｂを介して軸線Ｃ１まわりに回転するデフケース１４と、デフケース１４によって両端が保持されることで軸線Ｃ１を中心にしてデフケース１４と一体的に回転するピニオンシャフト１６と、ピニオンシャフト１６の外周に回転可能な状態で嵌め付けられているピニオンギヤ１８と、ピニオンシャフト１８と噛み合うとともに軸線Ｃ１まわりに回転可能な一対のサイドギヤ２０と、図示しないボルトによってデフケース１４に固定されるリングギヤ２８とを、含んで構成されている。また、ピニオンシャフト１６、ピニオンギヤ１８、および一対のサイドギヤ２０によって、本発明の差動機構２１が構成され、差動機構２１は、デフケース１４内に収容される。
【００１２】
デフケース１４は、第１ケース部材１４ａおよび第２ケース部材１４ｂの２つのケース部材から構成され、図示しないボルトによって互いに結合されている。第１ケース部材１４ａと第２ケース部材１４ｂとは、図１に示すピニオンシャフト１６の軸線Ｃ２を境界にして左右に２分割されている。すなわち、デフケース１４は、軸線Ｃ１に垂直であって、且つ、軸線Ｃ２と重なる面を境界にして、第１ケース部材１４ａと第２ケース部材１４とに２分割され、図示しないボルトによって互いに結合されている。なお、第１ケース部材１４ａが本発明のケース部材の一方に対応している。
【００１３】
第１ケース部材１４ａは、一方が開口する略椀状に形成され、軸受１１ａによって軸線Ｃ１まわりに回転可能に支持されている。第１ケース部材１４ａの軸線Ｃ１方向で開口と反対側には、図示しないドライブシャフトが嵌め入れられる円筒部２２が形成されている。円筒部２２の外周側には軸受１１ａが設けられており、第１ケース部材１４ａは、軸受１１ａを介して軸線Ｃ１まわりに回転可能に支持されている。
【００１４】
第２ケース部材１４ｂも同様に、一方が開口する略椀状に形成され、第２ケース部材１４ｂの軸線Ｃ１方向で開口と反対側には、図示しないドライブシャフトが嵌め入れられる円筒部２４が形成されている。円筒部２４の外周側には軸受１１ｂが設けられており、第２ケース部材１４ｂは、軸受１１ｂを介して軸線Ｃ１まわりに回転可能に支持されている。
【００１５】
第１ケース部材１４ａの開口側に形成される合わせ面２３（図２参照）と、第２ケース部材１４ｂの開口側に形成される合わせ面２５（図２参照）とが、当接した状態で図示しないボルトによって締結されることで、デフケース１４が一体的に構成される。
【００１６】
ピニオンシャフト１６は、円柱形状を有し、その両端がデフケース１４によって保持されている。従って、ピニオンシャフト１６は、デフケース１４とともに軸線Ｃ１を中心にして回転させられる。デフケース１４には、内部と外部とを連通する一対の貫通穴２６が形成されており、それら貫通穴２６にピニオンシャフト１６の両端が嵌め入れられている。なお、貫通穴２６は、第１ケース部材１４ａの合わせ面２３に形成されている断面半円状の窪みと、第２ケース部材１４ｂの合わせ面２５に形成されている断面半円状の窪みとが、互いに重ね合わされて形成される。ピニオンシャフト１６は、そのピニオンシャフト１６を径方向に貫通する保持ピン３０によって脱落不能に固定されている。保持ピン３０によってピニオンシャフト１６を固定する機構については後述するものとする。なお、保持ピン３０が、本発明のピンに対応している。
【００１７】
ピニオンシャフト１６の外周には、一対のピニオンギヤ１８がピニオンシャフト１６の軸線Ｃ２まわりに回転可能に嵌め付けられている。ピニオンギヤ１８は、ピニオンシャフト１６が回転すると、軸線Ｃ１を中心にして公転させられる。
【００１８】
一対のサイドギヤ２０は、軸線Ｃ１を中心にして、ピニオンシャフト１６を隔てて互いに向かい合うようにして配置されている。一対のサイドギヤ２０は、それぞれピニオンギヤ１８と噛み合わされている。
【００１９】
上記デファレンシャル装置１０において、リングギヤ２８に動力が伝達されると、その動力が、デフケース１４、ピニオンシャフト１６、ピニオンギヤ１８、サイドギヤ２０を介して図示しないドライブシャフトに伝達される。ここで、直進走行中は、ピニオンギヤ１８が回転することはないが、旋回走行中にあっては、操舵角に応じてピニオンギヤ１８が回転することで、左右のサイドギヤ２０に回転速度差が与えられる。
【００２０】
図２は、図１の第１ケース部材１４ａおよび第２ケース部材１４ｂについて太実線で示す部位を拡大した拡大断面図である。なお、図２において一点鎖線は、デフケース１４に固定されるピニオンシャフト１６を示し、二点鎖線は、そのピニオンシャフト１６を固定するための保持ピン３０を示している。
【００２１】
第１ケース部材１４ａと第２ケース部材１４ｂとは、これらの合わせ面２３、２５が互いに重ね合わせられた状態で、図示しないボルトによって締結されている。なお、前記ボルトの締結部は、第１ケース部材１４ａおよび第２ケース部材１４ｂの開口側において、周方向で貫通穴２６が形成されない部位に形成されている。
【００２２】
デフケース１４には、貫通穴２６が形成されており、その貫通穴２６に一点鎖線で示すピニオンシャフト１６の長手方向の一端が嵌め入れられる。ピニオンシャフト１６には、そのピニオンシャフト１６を径方向に貫通する貫通穴３８が形成されており、その貫通穴３８を貫通するように二点鎖線で示す保持ピン３０が挿し通される。
【００２３】
デフケース１４には、ピニオンシャフト１６を径方向に貫通する保持ピン３０の両端を収容するピン穴４０が形成されている。ピン穴４０は、断面円形に長手状に形成されている。ピン穴４０は、保持ピン３０の一端を収容する第１ピン穴４２と、保持ピン３０の他端を収容する第２ピン穴４４とから形成されている。なお、第１ピン穴４２が、本発明のピンの一端を収容する側のピン穴に対応している。
【００２４】
第１ピン穴４２は、長手方向の一端が貫通穴２６と連通し、他端がケース外部と連通している。すなわち、第１ピン穴４２は、ケース外部まで貫通している。また、第１ピン穴４２は、貫通穴２６に連通し、穴の径が保持ピン３０の直径よりも大きい大径ピン穴４２ａと、ケース外部に連通し、穴の径が保持ピン３０の直径よりも小さい小径ピン穴４２ｂとから形成されている。また、大径ピン穴４２ａと小径ピン穴４２ｂとの間に、段付部４６が形成されている。このように、第１ピン穴４２は、大径ピン穴４２ａと小径ピン穴４２ｂとの間に段付部４６を有する段付の貫通穴である。
【００２５】
第１ピン穴４２側に収容される保持ピン３０は、実質的には、保持ピン３０を収容可能な穴の径に設定されている大径ピン穴４２ａ内に収容される。ここで、保持ピン３０が、大径ピン穴４２ａ内を長手方向で小径ピン穴４２ｂ側に移動すると、保持ピン３０の長手方向の端部が、段付部４６に形成されている軸線Ｃ１に垂直な面に当接するため、段付部４６が保持ピン３０の抜け止めとして機能し、保持ピン３０の小径ピン穴４２ｂ側への移動が阻止される。従って、保持ピン３０の第１ピン穴４２からケース外部への脱落が防止される。
【００２６】
第２ピン穴４４は、一端が貫通穴２６と連通し、保持ピン３０を収容できるように、穴の直径が保持ピン３０の直径よりも大きい寸法となっている。また、第２ピン穴４４は、ケース外部まで貫通しておらず、第２ケース部材１４ｂによって塞がれている。従って、組付後には、第２ケース部材１４ｂ内に収容されるため、第２ピン穴４４に収容された保持ピン３０の、ケース外部への脱落が防止される。
【００２７】
上記のように構成されるデファレンシャル装置１０にあっては、組付後においても、ケース外部と連通する第１ピン穴４２から保持ピン３０の有無を目視でもって確認できる。一方、保持ピンの収容穴が貫通していない構造では、組付後に保持ピンの有無を目視で確認することが不可能となる。
【００２８】
また、組付後においても保持ピンの有無を確認できるように、保持ピンの収容穴を貫通させる場合には、保持ピンの脱落を防止するために、デフケースまたはピンをかしめるピン抜け防止加工が必要となる。これに対して、本実施例のディファレンシャル装置１０にあっては、第１ピン穴４２に段付部４６が形成されることで、かしめることなく保持ピン３０の脱落が防止される。また、かしめが不要となることから、各部品の再利用が可能となり、組付後の分解および再組付が容易となる。例えば、従来では保持ピン３０を抜き出す際にマグネットピックを使用していたが、本実施例では第１ピン穴４２側から保持ピン３０を押し出すことができるため、マグネットピックを使用することなく保持ピン３０を抜くことができる。結果として、マグネットピックによる部品の着磁を回避できる。
【００２９】
また、第２ピン穴４４側にあっては、ケース外部を貫通することなく塞がれているため、保持ピン３０の第２ピン穴４４からの脱落が防止される。
【００３０】
また、第１ピン穴４２がケース外部まで連通していることで、第１ピン穴４２の周辺にたまりやすい応力が逃がされる。これより、ピン穴が貫通していない場合と比較しても、第１ピン穴４２の周辺にかかる最大応力が低減される。また、本実施例ではかしめが施されないため、第１ケース部材１４ａにかしめによる穴の歪みは生じない。従って、第１ケース部材１４ａにおいて応力分布の偏りが低減され、第１ケース部材１４ａの応力分布を均一にできる。
【００３１】
上述のように、本実施例によれば、保持ピン３０の一端を収容する第１ピン穴４２は、ケース外部まで貫通することから、組付後においても保持ピン３０の有無を目視で確認できる。また、分解の際には、ケース外部に連通したピン穴４２側から保持ピン３０を押し出すことで、保持ピン３０を容易に取り出すことができる。また、保持ピン３０の一端を収容する第１ピン穴４２は、ケース外部と連通する小径ピン穴４２ｂの穴の径が、保持ピン３０の直径よりも小さいことから、保持ピン３０が脱落することが防止される。
【００３２】
つぎに、本発明の他の実施例を説明する。なお、以下の説明において前述の実施例と共通する部分には同一の符号を付して説明を省略する。
【実施例２】
【００３３】
図３は、本発明の他の実施例であるデファレンシャル装置５０の断面図である。デファレンシャル装置５０は、非回転部材であるハウジング１２に一対の軸受１１ａ、１１ｂを介して軸線Ｃ１まわりに回転可能に保持されている。なお軸線Ｃ１は、サイドギヤ２０、およびサイドギヤ２０にスプライン嵌合する図示しないドライブシャフトの回転軸線である。
【００３４】
デファレンシャル装置５０は、ハウジング１２に一対の軸受１１ａ、１１ｂを介して軸線Ｃ１まわりに回転するデフケース５４と、デフケース５４によって両端が保持されることで軸線Ｃ１を中心にしてデフケース５４と一体的に回転するピニオンシャフト１６と、ピニオンシャフト１６の外周に回転可能な状態で嵌め付けられているピニオンギヤ１８と、ピニオンシャフト１８と噛み合うとともに軸線Ｃ１まわりに回転可能な一対のサイドギヤ２０と、図示しないボルトによってデフケース５４に固定されるリングギヤ２８とを、含んで構成されている。また、ピニオンシャフト１６、ピニオンギヤ１８、および一対のサイドギヤ２０によって、差動機構２１が構成され、その差動機構２１は、デフケース５４内に収容される。
【００３５】
デフケース５４は、第１ケース部材５４ａおよび第２ケース部材５４ｂの２つのケース部材から構成され、図示しないボルトによって互いに結合されている。なお、第１ケース部材５４ａが本発明のケース部材の一方に対応している。
【００３６】
第１ケース部材５４ａは、一方が開口する略椀状に形成され、軸受１１ａによって軸線Ｃ１まわりに回転可能に支持されている。第１ケース部材５４ａの軸線Ｃ１方向で開口と反対側には、図示しないドライブシャフトが嵌め入れられる円筒部６２が形成されている。円筒部６２の外周側には軸受１１ａが設けられており、第１ケース部材５４ａは、軸受１１ａを介して軸線Ｃ１まわりに回転可能に支持されている。
【００３７】
第２ケース部材５４ｂは、円盤状に形成され、その中心部（軸線Ｃ１を中心とする径方向内側）には、図示しないドライブシャフトが嵌め入れられる円筒部６４が形成されている。円筒部６４の外周側には軸受１１ｂが設けられており、第２ケース部材５４ｂは、軸受１１ｂを介して軸線Ｃ１まわりに回転可能に支持されている。
【００３８】
第１ケース部材５４ａの開口側に形成される合わせ面６６と、第２ケース部材５４ｂの外周側に形成される合わせ面６８とが、当接した状態で図示しないボルトによって締結されることで、デフケース５４が構成される。また、第１ケース５４ａおよび第２ケース部材５４ｂを締結するボルトによって、リングギヤ２８（ファイナルギヤ２８）も同様に、デフケース５４に固定される。具体的には、リングギヤ２８と第１ケース部材５４ａとの間に、第２ケース部材５４ｂが挟み込まれた状態で、ボルトによって一体的に締結される。
【００３９】
ピニオンシャフト１６は、円柱形状を有し、その両端がデフケース５４の第１ケース部材５４ａによって保持されている。従って、ピニオンシャフト１６は、デフケース５４とともに軸線Ｃ１を中心にして回転させられる。第１ケース部材５４ａには、内部と外部とを連通する一対の貫通穴７０が形成されており、それら貫通穴７０にピニオンシャフト１６の両端が嵌め入れられている。ピニオンシャフト１６は、そのピニオンシャフト１６を径方向に貫通する保持ピン３０によって脱落不能に固定されている。
【００４０】
図４は、図３の第１ケース部材５４ａおよび第２ケース部材５４ｂについて太実線で示す部位を拡大した拡大断面図である。なお、図４において一点鎖線は、第１ケース部材５４ａに固定されるピニオンシャフト１６を示し、二点鎖線は、そのピニオンシャフト１６を固定するための保持ピン３０を示している。
【００４１】
第１ケース部材５４ａには、ボルト締結穴７２が形成されるとともに、第２ケース部材５４ｂにもボルト締結穴７４が形成されており、第１ケース部材５４ａの合わせ面６６および第２ケース部材５４ｂの面６８が合わされた状態で、ボルト締結穴７２およびボルト締結穴７４に図示しないボルトが挿し通される。
【００４２】
第１ケース部材５４ａには、貫通穴７０が形成されており、その貫通穴７０に一点鎖線で示すピニオンシャフト１６の長手方向の一端が嵌め入れられる。ピニオンシャフト１６には、そのピニオンシャフト１６を径方向に貫通する貫通穴３８が形成されており、その貫通穴３８を貫通するように二点鎖線で示す保持ピン３０が挿し通される。
【００４３】
第１ケース部材５４ａには、ピニオンシャフト１６を径方向に貫通する保持ピン３０の両端を収容するピン穴８０が形成されている。ピン穴８０は、断面円形に長手状に形成されている。ピン穴８０は、保持ピン３０の一端を収容する第１ピン穴８２と、保持ピン３０の他端を収容する第２ピン穴８４とから形成されている。なお、第１ピン穴８２が、本発明のピンの一端を収容するピン穴に対応している。
【００４４】
第１ピン穴８２は、長手方向の一端が貫通穴７０と連通し、他端がケース外部と連通している。すなわち、第１ピン穴８２は、ケース外部まで貫通している。また、第１ピン穴８２は、貫通穴７０に連通し、穴の径が保持ピン３０の直径よりも大きい大径ピン穴８２ａと、ケース外部に連通し、穴の径が保持ピン３０の直径よりも小さい小径ピン穴８２ｂとから形成されている。また、大径ピン穴８２ａと小径ピン穴８２ｂとの間に、段付部８６が形成されている。このように、第１ピン穴８２は、大径ピン穴８２ａと小径ピン穴８２ｂとの間に段付部８６を有する段付の貫通穴である。
【００４５】
第１ピン穴８２に収容される保持ピン３０は、実質的には、保持ピン３０を収容可能な穴の径に設定されている大径ピン穴８２ａ内に収容される。ここで、保持ピン３０が、大径ピン穴８２ａ内を長手方向で小径ピン穴８２ｂ側に移動すると、保持ピン３０の長手方向の端部が、段付部８６に形成されている軸線Ｃ１に垂直な面に当接するため、段付部８６が保持ピン３０の抜け止めとして機能し、保持ピン３０の小径ピン穴８２ｂ側への移動が阻止される。従って、保持ピン３０の第１ピン穴８２からケース外部への脱落が防止される。
【００４６】
第２ピン穴８４は、一端が貫通穴７０と連通し、保持ピン３０を収容できるように、穴の直径が保持ピン３０の直径よりも大きい寸法となっている。ここで、第１ケース部材５４ａと第２ケース部材５４ｂとが結合された状態では、第２ケース部材５４ｂに形成されている突起８８が、第２ピン穴８４の他端を塞ぐ位置に配置される。従って、組付後において第２ピン穴８４の他端が、第２ケース部材５４ｂの突起８８によって塞がれ、第２ピン穴８４はケース外部に対して非貫通穴となる。このことから、第２ピン穴８４に収容された保持ピン３０の、ケース外部への脱落が防止される。
【００４７】
上記のように構成されるデファレンシャル装置５０にあっては、組付後においても、ケース外部と連通する第１ピン穴８２から保持ピン３０の有無を目視でもって確認できる。
【００４８】
本実施例のディファレンシャル装置５０にあっては、第１ピン穴８２に段付部８６が形成されることで、かしめることなく保持ピン３０の脱落が防止される。また、かしめが不要となることから、各部品の再利用が可能となり、組付後の分解および再組付が容易となる。
【００４９】
また、第２ピン穴８４側にあっては、組付後において第２ケース部材５４ｂの突起８８によって穴の端部が塞がれるため、保持ピン３０の脱落を防止するための部品を別個に追加することなく、保持ピン３０の第２ピン穴８４からの脱落を防止できる。
【００５０】
上述のように、本実施例によっても、保持ピン３０の一端を収容する第１ピン穴８２は、ケース外部まで貫通することから、組付後においても保持ピン３０の有無を目視で確認できる。また、分解の際には、ケース外部に連通した第１ピン穴８２側から保持ピン３０を押し出すことで、保持ピン３０を容易に取り出すことができる。また、保持ピン３０の一端を収容する第１ピン穴８２は、ケース外部と連通する小径ピン穴８２ｂの穴の径が、保持ピン３０の直径よりも小さいことから、保持ピン３０が脱落することが防止される。さらに、保持ピン３０の他端を収容する第２ピン穴８４は、組付後において第２ケース部材８４ｂによって塞がれるため、別個に部品を追加することなく、第２ピン穴８４から保持ピン３０が脱落することが防止される。
【００５１】
以上、本発明の実施例を図面に基づいて詳細に説明したが、本発明はその他の態様においても適用される。
【００５２】
例えば、前述の実施例では、段付部４６、８６によって第１ピン穴４２、８２内に軸線Ｃ１に垂直な面が形成されていたが、必ずしも垂直な面に限定されるものではなく、例えばテーパ状に変化していても構わない。
【００５３】
また、前述の実施例では、デファレンシャル装置１０、５０は、２個のピニオンギヤ１８を備えていたが、３個以上のピニオンギヤを備えるものであっても構わない。なお、ピニオンギヤの個数に応じてピニオンシャフトの形状についても適宜変更される。
【００５４】
なお、上述したのはあくまでも一実施形態であり、本発明は当業者の知識に基づいて種々の変更、改良を加えた態様で実施することができる。
【符号の説明】
【００５５】
１０、５０：デファレンシャル装置
１４、５４：デフケース
１４ａ、５４ａ：第１ケース部材（ケース部材の一方）
１６：ピニオンシャフト
１８：ピニオンギヤ
２０：サイドギヤ
２１：差動機構
２６、７０：貫通穴
３０：保持ピン（ピン）
４０、８０：ピン穴
４２、８２：第１ピン穴（ピンの一端を収容する側のピン穴）
【図１】
0006605965.tif 000002
【図２】
0006605965.tif 000003
【図３】
0006605965.tif 000004
【図４】
0006605965.tif 000005